(57)【要約】      （修正有）【課題】置く場所の省スペース化が図れると共に、容易に筆記具を取り出すことができるペンケースを提供する。【解決手段】上端部に開口部１１を有する円筒状の収納部１２と、開口部１１を被覆して着脱可能に接合される短円筒状のカバー部１３とから構成され、カバー部１３は収納部１２にねじ込可能に接合されると共に、カバー部１３の上端部には収納部１４が設けられている。【選択図】図３
0003212243.tif 000002
【実用新案登録請求の範囲】
【請求項１】
上端部に開口部を有する円筒状の収納部と、前記開口部を被覆して着脱可能に接合される短円筒状のカバー部とを有するペンケースであって、前記カバー部は前記収納部にねじ込可能に接合されると共に、前記カバー部の上端部には他の収納部が設けられていることを特徴とするペンケース。
【請求項２】
前記他の収納部は、文房具小物を収納しうるように収納底部が設けられることにより文房具小物収納部として形成されると共に、前記文房具小物収納部を開閉可能に被覆しうる蓋部が設けられていることを特徴とする請求項１記載のペンケース。
【請求項３】
前記収納部は筆記具を軸方向に沿って収納した場合には、端部が前記開口部から突出する長さ寸法に形成されていることを特徴とする請求項１記載のペンケース。
【請求項４】
合成樹脂により構成されていることを特徴とする請求項１記載のペンケース。
【考案の詳細な説明】
【技術分野】
【０００１】
本考案は、ペンケースに係り、特に、蓋部の上端部に収納部が設けられているペンケースに関するものである。
【背景技術】
【０００２】
従来、学生が使用するペンケースは横型のものが多い。しかしながら、学校の机の天板の面積は小さく、科目によっては机上に置く教科書等が多いので、ペンケースの占める割合が大きいと邪魔になってしまうという不具合があった。
【０００３】
本件出願人は、このような観点から先行技術の調査を行い、特許文献１〜３のような文献を発見した。
【０００４】
例えば、特許文献１には、本体部と蓋部を構成するように円筒を２分割したペンシルケースであって、前記本体部が前記蓋部の中に入るように構成されている円筒キャップ式のペンシルケースが開示されている。
【０００５】
特許文献２には、本体ケースを開閉可能とする開閉手段とを備えた筆記具ケースであって、前記開閉手段はチャックにより構成されていることを特徴とする筆記具ケースが開示されている。
【０００６】
特許文献３には、筆記具を収容する筒状部と、前記筒状部の上端の開口部を閉塞する蓋部を備えたペンケースであって、前記蓋部と前記筒状部との間にはファスナーが取り付けられていることを特徴とするペンケースが開示されている。
【０００７】
しかしながら、特許文献１に開示されている縦型のペンケースにあっては、蓋部を本体部の開口部の被せるように構成されているが、本体部と蓋部を係止するための部材が設けられていないため、鞄の中で蓋部が外れてしまう場合や、落とした際に蓋部が外れてしまうおそれがあった。
また、特許文献２及び３の縦型のペンケースにあっては、筆記具をケース本体から取り出すためには、ファスナーを開閉して、開口部からペンケースを取り出しやすいようにする必要があるが、急いで開閉しようとした場合にファスナーが噛んでしまったり、長期間使用することでファスナーの噛み合わせが悪くなってしまうおそれがあるという不具合があった。
【先行技術文献】
【特許文献】
【０００８】
【特許文献１】実開昭４８−０３６９２８号公報
【特許文献２】特許第４６１７５９７号公報
【特許文献３】実登第３２０５７８４号公報
【考案の概要】
【考案が解決しようとする課題】
【０００９】
本考案の課題は、置く場所の省スペース化が図れると共に、容易に筆記具を取り出すことができるペンケースを提供することである。
【課題を解決するための手段】
【００１０】
前記課題達成のため、請求項１記載の考案にあっては、上端部に開口部を有する円筒状の収納部と、前記開口部を被覆して着脱可能に接合される短円筒状のカバー部とを有するペンケースであって、前記カバー部は前記収納部にねじ込可能に接合されると共に、前記カバー部の上端部には他の収納部が設けられていることを特徴とする。
【００１１】
従って、請求項１記載の考案にあっては、円筒状に形成されていることから机上に直立させて使用する。
【００１２】
また、前記カバー部は前記収納部にねじ込可能に接合されていることから、前記カバー部をひねるように回すことにより開閉され、前記収納部と前記カバー部は分離して机上に載置される。
【００１３】
また、前記カバー部の上端部の他の収納部には、筆記具以外の小物が収納される。
【００１４】
請求項２記載の考案にあっては、前記他の収納部は、文房具小物を収納しうるように収納底部が設けられることにより文房具小物収納部として形成されると共に、前記文房具小物収納部を開閉可能に被覆しうる蓋部が設けられていることを特徴とする。
【００１５】
従って、請求項２記載の考案にあっては、前記他の収納部は、文房具小物収納部として形成されていることから、筆記具と文房具小物は分けて収納される。
また、前記文房具小物収納部を開閉可能に被覆しうる蓋部が設けられていることから、文房具小物が前記文房具小物収納部収納部から飛び出すことはない。
【００１６】
請求項３記載の考案にあっては、前記収納部は筆記具と軸方向に沿って収納した場合には、端部が前記開口部から突出する長さ寸法に形成されていることを特徴とする。
【００１７】
従って、請求項３記載の考案にあっては、前記収納部は、前記筆記具の端部が前記収納部の開口部から突出するように形成されていることから、前記筆記具の端部を取り出しやすい状態で収納されると共に、前記筆記具は収納部内で直立した状態で収納される。
【００１８】
請求項４記載の考案にあっては、合成樹脂により構成されていることを特徴とする。
【考案の効果】
【００１９】
請求項１記載の考案に係るペンケースにあっては、円筒状に形成されていることから机上に直立させて使用することができる。
【００２０】
また、前記カバー部は前記収納部にねじ込可能に接合されていることから、前記カバー部をひねるように回すことで開閉することができると共に、前記収納部と前記カバー部を分離して机上に載置することができる。
【００２１】
また、前記カバー部の上端部の他の収納部には、筆記具以外の小物を収納することができることから、筆記具及び小物を収納するための十分な収納空間を確保することができる。
【００２２】
その結果、置く場所の省スペース化が図れると共に、容易に筆記具を取り出すことができるペンケースを提供することができる。
【００２３】
請求項２記載の考案に係るペンケースにあっては、文房具小物を収納しうるように収納底部が設けられることにより文房具小物収納部として形成されると共に、前記文房具小物収納部を開閉可能に被覆しうる蓋部が設けられていることから、筆記具と文房具小物を分けて収納することができる。
【００２４】
また、前記文房具小物収納部を開閉可能に被覆しうる蓋部が設けられていることから、文房具小物が収納部から飛び出すことなく持ち運びすることができる。
【００２５】
その結果、各収納部から容易に筆記具等を取り出すことができると共に、鞄の中に入れて持ち運びしやすいペンケースを提供することができる。
【００２６】
請求項３記載の考案に係るペンケースにあっては、前記収納部は筆記具と軸方向に沿って収納した場合には、端部が前記開口部から突出する長さ寸法に形成されていることから、前記筆記具の端部を持ちやすい状態で収納することができると共に、前記筆記具を収納部内で直立した状態で収納することができる。
【００２７】
その結果、前記収納部に密に筆記具を収納した場合においても、筆記具の端部を持つことにより容易に取り出すことができる。
【００２８】
請求項４記載の考案に係るペンケースにあっては、合成樹脂により構成されていることから、各構成部材の製造を容易に行うことができる。
また、合成樹脂から構成されていることから、机上から落とした場合や、ぶつけた場合であっても前記収納部及び前記カバー部が変形することを防ぐことができる。
【００２９】
その結果、丈夫で持ち運びしやすく、製造コストも削減することができるペンケースを提供することができる。
【図面の簡単な説明】
【００３０】
【図１】図１は、本考案の一実施の形態に係るペンケースを示す正面図である。
【図２】図２は、本考案の一実施の形態に係るペンケースの収納部からカバー部を外した状態を示す正面図である。
【図３】図３は、本考案の一実施の形態に係るペンケースにおいて、収納部に筆記具を収納した状態及び文房具小物収納部に文房具小物を収納した状態を示す斜視図である。
【考案を実施するための最良の形態】
【００３１】
以下、添付図面に示す実施の形態に基づき、本考案を詳細に説明する。
図１〜図３に示すように、本実施の形態に係るペンケース１０にあっては、上端部に開口部１１を有する円筒状の収納部１２と、開口部１１を被覆して着脱可能に接合される短円筒状のカバー部１３とから構成されている。
【００３２】
また、カバー部１３は収納部１２にねじ込可能に接合されると共に、カバー部１３の上端部には他の収納部１４が設けられている。
【００３３】
図１〜図３に示すように、本実施の形態に係るペンケース１０にあっては、カバー部１３には、文房具小物１５、１６を収納しうるように収納底部１７が設けられることにより文房具小物収納部１８として形成されると共に、文房具小物収納部１８を開閉可能に被覆しうる蓋部１９が設けられている。
【００３４】
図３に示すように、本実施の形態に係るペンケース１０にあっては、収納部１２は一般的な長さの筆記具２０を軸方向に沿って収納した場合には、端部２１が開口部１１から突出する長さ寸法に形成されている。
【００３５】
図１〜図３に示すように、本実施の形態に係るペンケース１０は、合成樹脂により構成されている。
【００３６】
図１〜図３に示すように、本実施の形態に係るペンケース１０にあっては、文房具小物収納部１８を開閉可能に被覆しうる蓋部１９には、蓋部１９を開閉するための突起部２２が設けられている。
【００３７】
図３に示すように、本実施の形態に係るペンケース１０にあっては、蓋部１９の開閉部２３は側面略台形状の凸部として形成され、文房具小物収納部１８には開閉部２３と嵌まり合う側面略台形状の凹状溝部２４が形成されており、開閉部２３の裏面部２５には略長方形状の突起部２７が設けられ、凹状溝部２４に設けられた略長方形状の凹部２６に嵌まるように構成されている。
【００３８】
以下、本実施の形態に係るペンケースの作用及び効果について説明する。
図１〜図３に示すように、本実施の形態に係るペンケース１０にあっては、上端部に開口部１１を有する円筒状の収納部１２と、開口部１１を被覆して着脱可能に接合される短円筒状のカバー部１３とから構成されており、カバー部１３は収納部１２にねじ込可能に接合されると共に、カバー部１３の上端部には他の収納部１４が設けられており、円筒状に形成されていることから机上に直立させて使用するので置く場所の省スペース化を図ることができる。
【００３９】
また、カバー部１３は収納部１２にねじ込可能に接合されていることから、カバー部１３をひねるように回すことにより開閉されるため、収納部１２とカバー部１３は分離して机上に載置することができる。
【００４０】
また、カバー部１３の上端部の他の収納部１４には、筆記具以外の小物を収納することができることから、筆記具及び小物を収納するための十分な収納空間を確保することができる。
【００４１】
従って、置く場所の省スペース化が図れると共に、容易に筆記具を取り出すことができるペンケース１０を提供することができる。
【００４２】
図１〜図３に示すように、本実施の形態に係るペンケース１０にあっては、カバー部１３には、文房具小物１５、１６を収納しうるように収納底部１７が設けられることにより文房具小物収納部１８として形成されると共に、文房具小物収納部１８を開閉可能に被覆しうる蓋部１９が設けられていることから、一般的な長さの筆記具２０と文房具小物１５、１６を分けて収納することができる。
【００４３】
また、文房具小物収納部１８を開閉可能に被覆しうる蓋部１９が設けられていることから、文房具小物１５、１６が文房具小物収納部１８から飛び出すことなく持ち運びすることができる。
【００４４】
従って、各収納部から容易に一般的な長さの筆記具２０等を取り出すことができると共に、鞄の中に入れて持ち運びしやすいペンケース１０を提供することができる。
【００４５】
図３に示すように、本実施の形態に係るペンケース１０にあっては、収納部１２は一般的な長さの筆記具２０を軸方向に沿って収納した場合には、端部２１が開口部１１から突出する長さ寸法に形成されていることから、筆記具２０の端部２１を持ちやすい状態で収納することができると共に、筆記具２０を収納部１２内で直立した状態で収納することができる。
【００４６】
従って、収納部１２に密に一般的な長さの筆記具２０を収納した場合においても、筆記具の端部を持つことにより容易に取り出すことができる。
【００４７】
図１〜図３に示すように、本実施の形態に係るペンケース１０にあっては、合成樹脂により構成されていることから、各構成部材の製造を容易に行うことができる。
【００４８】
また、合成樹脂から構成されていることから、机上から落とした場合や、ぶつけた場合であっても収納部１２及びカバー部１３が変形することを防ぐことができる。
【００４９】
従って、丈夫で持ち運びしやすく、製造コストも削減することができるペンケース１０を提供することができる。
【００５０】
図１〜図３に示すように、本実施の形態に係るペンケース１０にあっては、文房具小物収納部１８を開閉可能に被覆しうる蓋部１９には、蓋部１９を開閉するための突起部２２が設けられている。
【００５１】
従って、使用者は、指で突起部２２を上方に向けて持ち上げることにより、容易に蓋部１９を開けることができる。
【００５２】
図３に示すように、本実施の形態に係るペンケース１０にあっては、蓋部１９に設けられている開閉部２３は側面略台形状の凸部として形成され、文房具小物収納部１８には開閉部２３と嵌まり合う側面略台形状の凹状溝部２４が形成されており、開閉部２３の裏面部２５には略長方形状の突起部２７が設けられ、凹状溝部２４に設けられた略長方形状の凹部２６に嵌まるように構成されていることから、蓋部１９をしっかりと文房具小物収納部１８に係止することができる。
【００５３】
従って、鞄の中で蓋部１９が開放され文房具小物が散乱することを防ぐことができる。
【産業上の利用可能性】
【００５４】
本考案は、省スペース化が図れると共に、容易に筆記具を取り出すことができるペンケースであることから産業上の利用可能性を有している。
【符号の説明】
【００５５】
１０…ペンケース
１１…開口部
１２…円筒状の収納部
１３…カバー部
１４…他の収納部
１５…文房具小物
１６…文房具小物
１７…収納底部
１８…文房具小物収納部
１９…蓋部
２０…筆記具
２１…端部
２２…突起部
２３…開閉部
２４…略台形状の凹状溝部
２５…裏面部
２６…凹部
２７…略長方形状の突起部
【図１】
0003212243.tif 000003
【図２】
0003212243.tif 000004
【図３】
0003212243.tif 000005